(57)【要約】【課題】メモリ容量を浪費すること無く、通信状態が不良の場合であってもユーザが必要な範囲内で目的地の住所を入力することにより目的地の位置を把握できる位置表示装置、位置表示方法およびプログラムを提供する。【解決手段】判定手段１１４は、位置情報記憶部１３２が記憶する第１住所情報の中に、第２住所情報と一致する第１住所情報が存在するか否かを判定する。位置情報取得手段１１５は、判定手段１１４により位置情報記憶部１３２が記憶する第１住所情報の中に、第２住所情報と一致する第１住所情報が存在しないと判定されると、位置情報サーバから、第２住所情報に対応する位置情報を取得し、取得した位置情報を第２住所情報と対応づけて位置情報記憶部１３２に記憶させる。【選択図】図２
2019144352.tif 000002
【特許請求の範囲】
【請求項１】
入力部と表示部と不揮発性メモリとを備える位置表示装置であって、
地図情報を記憶する地図情報記憶手段と、
不揮発性メモリに設けられ、位置情報を前記位置情報に対応する住所を示す第１住所情報と対応づけて記憶する位置情報記憶手段と、
現在位置を示す現在位置情報を取得する現在位置取得手段と、
前記地図情報記憶手段または通信回線を介して通信可であり地図情報を管理する地図情報サーバから、前記現在位置情報が示す位置を含む地図情報を取得する地図情報取得手段と、
ユーザが前記入力部を介して入力した目的地の住所を示す第２住所情報を受け付ける住所情報受付手段と、
前記位置情報記憶手段が記憶する前記第１住所情報の中に、前記第２住所情報と一致する前記第１住所情報が存在するか否かを判定する判定手段と、
前記判定手段により前記位置情報記憶手段が記憶する前記第１住所情報の中に、前記第２住所情報と一致する前記第１住所情報が存在しないと判定されると、複数の位置情報それぞれを住所情報と対応づけて記憶する位置情報データベースを有する位置情報サーバから、前記第２住所情報に対応する位置情報を取得し、取得した位置情報を前記第２住所情報と対応づけて前記位置情報記憶手段に記憶させる位置情報取得手段と、
前記位置情報記憶手段から取得した前記第２住所情報に対応する位置情報を示すアイコン画像を、前記地図情報取得手段が取得した地図情報が示す地図画像に重ねる形で前記表示部に表示させる画像表示手段と、を備える、
位置表示装置。
【請求項２】
複数の地域それぞれに関連する地域関連情報を、位置情報および住所情報と対応づけて記憶する地域関連情報データベースを有する地域関連情報サーバから、前記位置情報および前記第２住所情報に対応する地域関連情報を取得する関連情報取得手段を更に備える、
請求項１に記載の位置表示装置。
【請求項３】
入力部と表示部と不揮発性メモリとを備える位置表示装置を使用した位置表示方法であって、
地図情報を地図情報記憶手段に記憶させるステップと、
位置情報を不揮発性メモリに設けられた位置情報記憶手段に前記位置情報に対応する住所を示す第１住所情報と対応づけて記憶させるステップと、
現在位置を示す現在位置情報を取得するステップと、
前記地図情報記憶手段または通信回線を介して通信可であり地図情報を管理する地図情報サーバから、前記現在位置情報が示す位置を含む地図情報を取得するステップと、
ユーザが前記入力部を介して入力した目的地の住所を示す第２住所情報を受け付けるステップと、
前記位置情報記憶手段が記憶する前記第１住所情報の中に、前記第２住所情報と一致する前記第１住所情報が存在するか否かを判定するステップと、
前記位置情報記憶手段が記憶する前記第１住所情報の中に、前記第２住所情報と一致する前記第１住所情報が存在しないと判定されると、複数の位置情報それぞれを住所情報と対応づけて記憶する位置情報データベースを有する位置情報サーバから、前記第２住所情報に対応する位置情報を取得し、取得した位置情報を前記第２住所情報と対応づけて前記位置情報記憶手段に記憶させるステップと、
前記位置情報記憶手段から取得した前記第２住所情報に対応する位置情報を示すアイコン画像を、取得した地図情報が示す地図画像に重ねる形で前記表示部に表示させるステップと、を含む、
位置表示方法。
【請求項４】
コンピュータを、
地図情報を記憶する地図情報記憶手段、
不揮発性メモリに設けられ、位置情報を前記位置情報に対応する住所を示す第１住所情報と対応づけて記憶する位置情報記憶手段、
現在位置を示す現在位置情報を取得する現在位置取得手段、
前記地図情報記憶手段または通信回線を介して通信可であり地図情報を管理する地図情報サーバから、前記現在位置情報が示す位置を含む地図情報を取得する地図情報取得手段、
ユーザが入力部を介して入力した目的地の住所を示す第２住所情報を受け付ける住所情報受付手段、
前記位置情報記憶手段が記憶する前記第１住所情報の中に、前記第２住所情報と一致する前記第１住所情報が存在するか否かを判定する判定手段、
前記判定手段により前記位置情報記憶手段が記憶する前記第１住所情報の中に、前記第２住所情報と一致する前記第１住所情報が存在しないと判定されると、複数の位置情報それぞれを住所情報と対応づけて記憶する位置情報データベースを有する位置情報サーバから、前記第２住所情報に対応する位置情報を取得し、取得した位置情報を前記第２住所情報と対応づけて前記位置情報記憶手段に記憶させる位置情報取得手段、
前記位置情報記憶手段から取得した前記第２住所情報に対応する位置情報を示すアイコン画像を、前記地図情報取得手段が取得した地図情報が示す地図画像に重ねる形で表示部に表示させる画像表示手段、として機能させるプログラム。
【発明の詳細な説明】
【技術分野】
【０００１】
本発明は、位置表示装置、位置表示方法およびプログラムに関する。
【背景技術】
【０００２】
地図画像を表示部に表示させる際、通信回線を通じて地図情報サーバからオンライン地図情報を逐次ダウンロードして地図画像を表示部に表示させたり、予めメモリに記憶させておいたオフライン地図情報を取得して地図画像を表示部に表示させたりすることができる携帯端末が提案されている（例えば特許文献１参照）。この種の携帯端末において、オンライン地図情報を利用するオンライン地図モードにおいては、ユーザが目的地の県名、市町村名、地番等の住所を入力することにより、その目的地を表すアイコン画像を地図画像に重ねて表示させるものが提供されることもある。このような携帯端末におけるオンライン地図モードは、目的地を表すアイコン画像を表示させる毎に、通信回線を通じて位置情報サーバから入力した住所に対応する目的地の位置情報を取得する。
【０００３】
ところが、前述の携帯端末では、例えば携帯端末を所持するユーザが、地下街、辺境の地等の基地局からの電波が届きにくい地域に存在したり、災害により基地局との通信が遮断されたりすることにより基地局との通信状態が劣化している場合、目的地の住所を入力することによる目的地の位置表示が不可能となる虞がある。
【０００４】
これに対して、オフライン地図を利用するオフライン地図モードにおいては、予め各種の位置情報を住所情報と対応づけて携帯端末が備えるメモリに記憶させておくことにより通信状態が劣化しても目的地の住所を入力することによる目的地の位置表示を可能とした携帯端末が考えられる。
【先行技術文献】
【特許文献】
【０００５】
【特許文献１】特開２０１８−１８４８６号公報
【発明の概要】
【発明が解決しようとする課題】
【０００６】
しかしながら、前述の携帯端末におけるオフラインモードでは、あらゆる目的地の位置情報を網羅的にメモリに記憶させることとなり、必要なメモリの容量が増大する結果、携帯端末内に残される残存メモリスペースが減少することとなり、他のアプリケーションの動作に支障が生じる虞があるとともに、場合によっては該当する携帯端末内に格納出来ないこともありうる。従って、ユーザにとって必要最小限の位置情報を住所情報と対応づけて記憶して通信回線に依存すること無く、頻繁に利用する場所などについて、比較的小さな数の目的地の住所情報の入力に対して目的地の位置表示ができることが要請されている。
【０００７】
本発明は、上記事由に鑑みてなされたものであり、メモリ容量を浪費すること無く、通信状態が不良の場合であってもユーザが必要な範囲内で目的地の住所を入力することにより目的地の位置を把握できる位置表示装置、位置表示方法およびプログラムを提供することを目的とする。
【課題を解決するための手段】
【０００８】
本発明の第１の観点にかかる位置表示装置は、
入力部と表示部と不揮発性メモリとを備える位置表示装置であって、
地図情報を記憶する地図情報記憶手段と、
不揮発性メモリに設けられ、位置情報を前記位置情報に対応する住所を示す第１住所情報と対応づけて記憶する位置情報記憶手段と、
現在位置を示す現在位置情報を取得する現在位置取得手段と、
前記地図情報記憶手段または通信回線を介して通信可であり地図情報を管理する地図情報サーバから、前記現在位置情報が示す位置を含む地図情報を取得する地図情報取得手段と、
ユーザが前記入力部を介して入力した目的地の住所を示す第２住所情報を受け付ける住所情報受付手段と、
前記位置情報記憶手段が記憶する前記第１住所情報の中に、前記第２住所情報と一致する前記第１住所情報が存在するか否かを判定する判定手段と、
前記判定手段により前記位置情報記憶手段が記憶する前記第１住所情報の中に、前記第２住所情報と一致する前記第１住所情報が存在しないと判定されると、複数の位置情報それぞれを住所情報と対応づけて記憶する位置情報データベースを有する位置情報サーバから、前記第２住所情報に対応する位置情報を取得し、取得した位置情報を前記第２住所情報と対応づけて前記位置情報記憶手段に記憶させる位置情報取得手段と、
前記位置情報記憶手段から取得した前記第２住所情報に対応する位置情報を示すアイコン画像を、前記地図情報取得手段が取得した地図情報が示す地図画像に重ねる形で前記表示部に表示させる画像表示手段と、を備える。
【０００９】
また、本発明の第２の観点にかかる位置表示方法は、
入力部と表示部と不揮発性メモリとを備える位置表示装置を使用した位置表示方法であって、
地図情報を地図情報記憶手段に記憶させるステップと、
位置情報を不揮発性メモリに設けられた位置情報記憶手段に前記位置情報に対応する住所を示す第１住所情報と対応づけて記憶させるステップと、
現在位置を示す現在位置情報を取得するステップと、
前記地図情報記憶手段または通信回線を介して通信可であり地図情報を管理する地図情報サーバから、前記現在位置情報が示す位置を含む地図情報を取得するステップと、
ユーザが前記入力部を介して入力した目的地の住所を示す第２住所情報を受け付けるステップと、
前記位置情報記憶手段が記憶する前記第１住所情報の中に、前記第２住所情報と一致する前記第１住所情報が存在するか否かを判定するステップと、
前記位置情報記憶手段が記憶する前記第１住所情報の中に、前記第２住所情報と一致する前記第１住所情報が存在しないと判定されると、複数の位置情報それぞれを住所情報と対応づけて記憶する位置情報データベースを有する位置情報サーバから、前記第２住所情報に対応する位置情報を取得し、取得した位置情報を前記第２住所情報と対応づけて前記位置情報記憶手段に記憶させるステップと、
前記位置情報記憶手段から取得した前記第２住所情報に対応する位置情報を示すアイコン画像を、取得した地図情報が示す地図画像に重ねる形で前記表示部に表示させるステップと、を含む。
【００１０】
さらに、本発明の第３の観点にかかるプログラムは、
コンピュータを、
地図情報を記憶する地図情報記憶手段、
不揮発性メモリに設けられ、位置情報を前記位置情報に対応する住所を示す第１住所情報と対応づけて記憶する位置情報記憶手段、
現在位置を示す現在位置情報を取得する現在位置取得手段、
前記地図情報記憶手段または通信回線を介して通信可であり地図情報を管理する地図情報サーバから、前記現在位置情報が示す位置を含む地図情報を取得する地図情報取得手段、
ユーザが入力部を介して入力した目的地の住所を示す第２住所情報を受け付ける住所情報受付手段、
前記位置情報記憶手段が記憶する前記第１住所情報の中に、前記第２住所情報と一致する前記第１住所情報が存在するか否かを判定する判定手段、
前記判定手段により前記位置情報記憶手段が記憶する前記第１住所情報の中に、前記第２住所情報と一致する前記第１住所情報が存在しないと判定されると、複数の位置情報それぞれを住所情報と対応づけて記憶する位置情報データベースを有する位置情報サーバから、前記第２住所情報に対応する位置情報を取得し、取得した位置情報を前記第２住所情報と対応づけて前記位置情報記憶手段に記憶させる位置情報取得手段、
前記位置情報記憶手段から取得した前記第２住所情報に対応する位置情報を示すアイコン画像を、前記地図情報取得手段が取得した地図情報が示す地図画像に重ねる形で表示部に表示させる画像表示手段、として機能させる。
【発明の効果】
【００１１】
本発明によれば、不揮発性メモリに設けられた位置情報記憶手段が、位置情報をその位置情報に対応する住所を示す第１住所情報と対応づけて記憶し、位置情報取得手段が、位置情報記憶手段が記憶する第１住所情報の中に、第２住所情報と一致する第１住所情報が存在しないと判定されると、第２住所情報に対応する位置情報を取得し、取得した位置情報を第２住所情報と対応づけて位置情報記憶手段に記憶させる。これにより、位置情報記憶手段が記憶する住所情報および位置情報によるメモリ占有率を低減しつつ、位置情報記憶手段に少なくともユーザが通信回線が利用できるときに事前に入力した住所情報に対応した位置情報を記憶させておくことができるので、通信状態が不良の場合であってもユーザが必要な範囲内で目的地の住所情報を入力することによりその目的地の位置を把握できるようにすることができる。
【図面の簡単な説明】
【００１２】
【図１】本発明の実施の携帯に係る携帯端末を含むシステムの構成図である。
【図２】実施の形態に係る携帯端末の構成を示すブロック図である。
【図３】実施の形態に係る位置情報記憶部が記憶する各種情報の内容を示す図である。
【図４】実施の形態に係る携帯端末が実行する位置表示処理の一例を示すフローチャートである。
【図５】実施の形態に係るメニュー表示画面の一例を示す図である。
【図６】実施の形態に係る携帯端末が実行する位置表示処理の一例を示すフローチャートである。
【図７】実施の形態に係る地図表示画面の一例を示す図である。
【発明を実施するための形態】
【００１３】
本発明に係る実施の形態について図面を参照しながら説明する。なお、本発明は下記の実施の形態および図面によって限定されるものではない。
【００１４】
図１に示すように、本実施の形態に係る携帯端末１００は、通信回線ＮＴを介して、地図情報を管理する地図情報サーバ２００と、位置情報を管理する位置情報サーバ３００と、各地域に関連する関連情報を管理する地域関連情報サーバ４００と、通信可能である。地図情報サーバ２００は、例えば世界中の各地における地図情報が登録された地図情報データベースを備える。位置情報サーバ３００は、例えば世界中の複数の位置情報それぞれが、その位置情報が示す位置の住所を示す住所情報と対応づけて登録された位置情報データベースを有する。ここで、位置情報は、例えば地球上における位置の座標を示す情報である。地域関連情報サーバ４００は、複数の地域それぞれで発生している出来事に関連する地域関連情報を、位置情報および住所情報と対応づけて記憶する地域関連情報データベースを備える。地域関連情報サーバ４００は、後述の関連情報取得要求情報を受信すると、受信した関連情報取得要求情報に含まれるユーザの目的地の位置情報およびその目的地の住所を示す第２住所情報に基づいて、目的地を含む地域に関連する地域関連情報である目的地関連情報を、通信回線ＮＴを介して携帯端末１００へ送信する。なお、地図情報サーバ２００、位置情報サーバ３００、および地域関連情報サーバ４００は、個別に独立したものである必要はなく、クラウドベースの多数のサーバ群により構成されたものでも良いし、1つのサーバ内に構成された相互に連携したデータベース群として構成されてもよい。
【００１５】
携帯端末１００は、例えば基地局との間で３Ｇ、４Ｇ、ＬＴＥ等の通信プロトコルによるディジタル通信可能なスマートフォンであり、図２に示すように、ＣＰＵ（Central Processing Unit）１０１とＲＡＭ（Random Access Memory）１０２と不揮発性メモリ１０３と表示部１０４と入力部１０５と通信回路１０６とＧＰＳ（Global Positioning System）機能部１０７と各部を接続するバス１０９とを備える。この携帯端末１００は、入力部１０５と表示部１０４とを備え、携帯端末１００の現在の位置とユーザの目的地の位置とを表示する位置表示装置として機能する。
【００１６】
バス１０９は、制御バスおよびデータバスを有する。各部間のデータの伝送は、バス１０９を介して実行される。通信回路１０６は、携帯端末１００内のアンテナ（図示せず）を介して、通信回線ＮＴの基地局との間で各種情報を送受信する。通信回路１０６は、基地局から取得した各種情報を、バス１０９を介してＣＰＵ１０１へ出力したり、ＣＰＵ１０１からバス１０９を介して取得した各種情報を、基地局へ送信したりする。
【００１７】
ＧＰＳ機能部１０７は、ＧＰＳ衛星から送信されるＧＰＳ信号を携帯端末１００内のアンテナを介して受信する。そして、ＧＰＳ機能部１０７は、受信したＧＰＳ信号に基づいて、地上における携帯端末１００の現在位置を示す座標を算出してＣＰＵ１０１へ出力する。
【００１８】
表示部１０４は、例えば液晶ディスプレイまたはマトリクス状に配置された複数のＯＬＥＤ（Organic Light Emitting Diode）を有するディスプレイである。入力部１０５は、例えば表示部１０４に重ねて配置されたタッチパネルである。
【００１９】
ＲＡＭ１０２は、例えば数メガバイト程度の容量を持つ比較的小容量の揮発性メモリであり、ＣＰＵ１０１の作業領域として使用される。オンライン地図モードにおいて、通信回線ＮＴを利用してサーバからダウンロードされた地図情報はこのＲＡＭ１０２に記憶される。また、ＲＡＭ１０２の一部には、表示部１０４に表示させる画像を記憶するための画像記憶領域が設けられている。不揮発性メモリ１０３は、こちらも例えば数メガバイトから数百メガバイト程度の容量を持ち、オペレーティングシステムと、後述の位置表示処理を実行するためのプログラムと、を記憶する。また、不揮発性メモリ１０３は、オフライン地図情報を記憶する地図情報記憶部１３１と、位置情報を記憶する位置情報記憶部１３２と、を有する。
【００２０】
地図情報記憶部１３１は、例えば、地上に配置された道路、歩道、通路などを示す基本地図情報と、基本地図情報に対応する地図画像上に表示されるレストラン、商業施設、駅、ビルディング、官公庁、観光地等に関する付属情報と、を含む地図情報を記憶する地図情報記憶手段である。この地図情報の構造は、例えば、基本地図情報を構成する基本道路情報、詳細道路情報等と、付属情報である建物情報、文字情報、形状情報、背景情報等と、を含むレイヤ構造を有する。そして、ＣＰＵ１０１は、これらの各種情報を合成して得られる画像情報をＲＡＭ１０２に設けられた画像記憶領域に展開することにより地図情報に対応する地図画像を表示部１０４に表示させる。また、付属情報として、住所コード、街区符号、番地、住居番号、名称等を示す情報を含んでいてもよい。
【００２１】
位置情報記憶部１３２は、地球上における複数の場所の位置を示す位置情報を、位置情報に対応する住所を示す第１住所情報と対応づけて記憶する位置情報記憶手段である。位置情報記憶部１３２は、例えば図３に示すように、東京都内の複数の位置それぞれの緯度・経度座標を示す位置情報を、その位置情報に対応する住所を示す第１住所情報と対応づけて記憶する。この位置情報記憶部１３２は、初期状態で位置情報サーバ３００から位置情報を取得した履歴の無い場合、第１位置情報を全く記憶していないいわゆる空の状態である。従って、この場合には、初期状態のオフライン地図モードでは、通信回線を使わない携帯端末内にある位置情報のみに基づく住所検索は不能な状況にある。
【００２２】
図２に戻って、ＣＰＵ１０１は、不揮発性メモリ１０３が記憶するプログラムを読み込んで実行することにより、現在位置取得手段１１１、地図情報取得手段１１２、住所情報受付手段１１３、判定手段１１４、位置情報取得手段１１５、画像表示手段１１６および関連情報取得手段１１７として機能する。
【００２３】
現在位置取得手段１１１は、ＧＰＳ機能部１０７に携帯端末１００の現在位置を示す座標を算出させて、ＧＰＳ機能部１０７から携帯端末１００の現在位置を示す現在位置情報を取得する。
【００２４】
地図情報取得手段１１２は、ユーザが図示せぬユーザインターフェイスを介して、通信回線を利用せずオフライン地図モードが選択された場合（通信が遮断された地下、近隣の基地局倒壊等の通信利用不能の場合も含む）、現在位置取得手段１１１が取得した現在位置情報に基づいて、地図情報記憶部１３１から携帯端末１００の現在位置を含む地図に対応する地図情報を取得する。一方、地図情報取得手段１１２は、通信回線を利用可能で同様の手段を介してオンライン地図モードが選択された場合、通信回線ＮＴを介して、地図情報サーバ２００から、携帯端末１００の現在位置を含む地図に対応する地図情報を取得する。ここで、地図情報取得手段１１２は、通信回線が遮断されていない場合、定期的に、通信回線ＮＴを介して、地図情報サーバ２００から最新の地図情報を取得してもよい。或いは、地図情報取得手段１１２は、例えば前回取得した地図情報との差分情報、即ち、前回の地図情報取得時の後において新設された施設に関する情報或いは取り壊された施設に関する情報を取得し、地図情報記憶部１３１に既に記憶されている地図情報に取得した差分情報を統合するようにしてもよい。
【００２５】
住所情報受付手段１１３は、ユーザが入力部１０５を介して入力した目的地の住所を示す第２住所情報を受け付ける。
【００２６】
判定手段１１４は、位置情報記憶部１３２が記憶する第１住所情報の中に、ユーザにより入力された目的地の住所を示す第２住所情報と一致する第１住所情報が存在するか否かを判定する。また、判定手段１１４は、後述の目的地表示終了指令が有ったか否かを判定するとともに、後述の位置表示処理終了指令が有ったか否かを判定する。
【００２７】
位置情報取得手段１１５は、判定手段１１４により位置情報記憶部１３２が記憶する第１住所情報の中に、前述の第２住所情報と一致する第１住所情報が存在しないと判定されると、位置情報サーバ３００から、通信回線ＮＴを介して第２住所情報に対応する位置情報を取得する。そして、位置情報取得手段１１５は、取得した位置情報を第２住所情報と対応づけて位置情報記憶部１３２に記憶させる。一方、位置情報取得手段１１５は、判定手段１１４により位置情報記憶部１３２が記憶する第１住所情報の中に、前述の第２住所情報と一致する第１住所情報が存在すると判定されると、そのまま、位置情報記憶部１３２から第２住所情報と一致する第１住所情報に対応する位置情報を取得する。
【００２８】
即ち、位置情報取得手段１１５は、ユーザにより新たな目的地の第２住所情報が入力部１０５を介して入力された場合、通信回線ＮＴを介して位置情報サーバ３００から新たな目的地の第２住所情報に対応した位置情報を取得する。そして、位置情報取得手段１１５は、取得した位置情報を位置情報記憶部１３２に新たに記憶させる。一方、位置情報取得手段１１５は、ユーザにより入力された第２住所情報と一致する第１住所情報が既に位置情報記憶部１３２にエントリされている場合、その位置情報記憶部１３２にエントリされている第２住所情報と一致する第１住所情報に対応する位置情報を取得する。位置情報記憶部１３２にエントリされる第２情報として記憶される目的地の数は数百から数千件程度とし、永続的に保持することを指定されたエントリを除いてＦＩＦＯ（ファースト・イン・ファースト・アウト）ルールに従う一定の容量管理を加えることが可能である。
【００２９】
画像表示手段１１６は、位置情報記憶部１３２から取得した第２住所情報に対応する位置情報を示すマーク画像を、地図情報取得手段１１２が取得した地図情報に対応する地図画像に重ねる形で表示部１０４に表示させる。また、画像表示手段１１６は、現在位置取得手段１１１が取得した現在位置情報に基づいて、携帯端末１００の現在の位置を示すマーク画像を、地図画像に重ねる形で表示部１０４に表示させる。
【００３０】
関連情報取得手段１１７は、通信回線ＮＴが遮断されていない場合、通信回線ＮＴを介して、地域関連情報サーバ４００から、ユーザの目的地に関連する目的地関連情報を取得する。目的地関連情報とは、目的地が商店である場合における直近の時間帯でタイムセール情報、医療機関、公共機関等における待ち時間または混雑状況を示す情報、駅、空港等における発着時刻の遅れに関する情報、避難所における受け入れ可能人数または提供可能サービスを示す情報、或いは、目的地でのイベントに対するチャット情報である。
【００３１】
次に、本実施の形態に係る携帯端末１００が実行する位置表示処理について、図４から図７を参照しながら説明する。この位置表示処理は、携帯端末１００へ電源が投入された後、ユーザが入力部１０５を介して携帯端末１００に位置表示処理を実行させるための操作を行ったことを契機として開始される。具体的には、入力部１０５が表示部１０４に重ねて配置されたタッチパネルである場合、ユーザが入力部１０５における、表示部１０４に表示された位置表示処理に対応するアイコン画像と重なる部分をタッチすることにより位置表示処理が開始される。
【００３２】
まず、現在位置取得手段１１１は、ＧＰＳ機能部１０７から携帯端末１００の現在の位置の座標を示す現在位置情報を取得する（ステップＳ１０１）。
【００３３】
次に、地図情報取得手段１１２は、通信回線ＮＴが不通であるか否かを判定する（ステップＳ１０２）。ここで、地図情報取得手段１１２は、例えば通信回線ＮＴの基地局からの電波を正常に受信しているか否かにより通信回線ＮＴが不通であるか否かを判定する。地図情報取得手段１１２は、通信回線ＮＴが不通であると判定すると（ステップＳ１０２：Ｙｅｓ）、地図情報記憶部１３１が記憶する地図情報の中に携帯端末１００の現在の位置を含む地図を示す地図情報が有るか否かを判定する（ステップＳ１０３）。地図情報取得手段１１２は、地図情報記憶部１３１が記憶する地図情報の中に携帯端末１００の現在の位置を含む地図を示す地図情報が無いと判定すると（ステップＳ１０３：Ｎｏ）、表示部１０４にアラームを表示する（ステップＳ１０４）。ここで、アラームの内容は、例えば「地図がありません」、「地図を表示できません」等である。続いて、再びステップＳ１０１の処理が実行される。
【００３４】
一方、地図情報取得手段１１２は、地図情報記憶部１３１が記憶する地図情報の中に携帯端末１００の現在の位置を含む地図を示す地図情報が有ると判定すると（ステップＳ１０３：Ｙｅｓ）、地図情報記憶部１３１から、携帯端末１００の現在の位置を含む地図を示す地図情報を取得する（ステップＳ１０５）。その後、後述のステップＳ１０８の処理が実行されオフライン地図モードが実行されたこととなる。
【００３５】
また、地図情報取得手段１１２が、ステップＳ１０２において、通信回線ＮＴを介して通信可能と判定すると（ステップＳ１０２：Ｎｏ）、地図情報の取得を要求する地図取得要求情報を、通信回線ＮＴを介して地図情報サーバ２００へ送信する（ステップＳ１０６）。この地図取得要求情報には、携帯端末１００の現在の位置を示す現在位置情報が含まれている。このとき、地図情報サーバ２００は、携帯端末１００から地図取得要求情報を受信すると、地図取得要求情報に含まれる現在位置情報に基づいて、複数の地図情報の中から、携帯端末１００の現在の位置を含む地図を示す地図情報を選択する。そして、地図情報サーバ２００は、選択した地図情報を、通信回線ＮＴを介して携帯端末１００へ送信する。
【００３６】
一方、地図情報取得手段１１２は、地図情報サーバ２００から送信された地図情報を受信する（ステップＳ１０７）。次に、画像表示手段１１６は、地図情報取得手段１１２が取得した地図情報を、ＲＡＭ１０２に設けられた画像記憶領域に記憶させて、取得した地図情報に対応する地図画像を表示部１０４に表示させオンライン地図モードが実行されたことになる（ステップＳ１０８）。ここで、ユーザは通信可能な状況であっても必ずしもオンライン地図モードの利用を希望しない場合もありうる。契約通信容量の節約や通信時間の節約のためにオフライン地図モードの利用を希望する場合には、入力部１０５を介した選択操作（例えばオンラインとオフラインの選択アイコンをクリックする）により、モードの切り替えを行うことが出来る。
【００３７】
続いて、現在位置取得手段１１１が、ＧＰＳ機能部１０７から携帯端末１００の現在の位置の座標を示す現在位置情報を取得する（ステップＳ１０９）。そして、画像表示手段１１６が、現在位置取得手段１１１が取得した現在位置情報に基づいて、携帯端末１００の現在の位置を示すマーク画像を、地図画像に重ねる形で表示部１０４に表示させる（ステップＳ１１０）。
【００３８】
その後、住所情報受付手段１１３は、ユーザが入力部１０５に対して予め設定された操作を行うことにより住所検索モードが選択されたか否かを判定する（ステップＳ１１１）。住所情報受付手段１１３により住所検索モードが選択されていないと判定されると（ステップＳ１１１：Ｎｏ）、再びステップＳ１０９の処理が実行される。ここで、ユーザは、例えば図５に示すようなメニュー表示画面１０４ａを表示部１０４に表示させた状態で「条件」釦Ｂ１をタッチすることにより表示されるプルダウンメニューの中から、「住所検索」釦Ｂ２をタッチしたとする。この場合、住所情報受付手段１１３は、住所検索モードが選択されたと判定する。
【００３９】
図４に戻って、一方、住所情報受付手段１１３は、住所検索モードが選択されたと判定すると（ステップＳ１１１：Ｙｅｓ）、予め設定された基準時間内に目的地の住所を示す第２住所情報が入力されたか否かを判定する（ステップＳ１１２）。ここで、基準時間は、例えば５分に設定される。住所情報受付手段１１３により第２住所情報が入力されない状態で基準時間を経過したと判定されると（ステップＳ１１２：Ｎｏ）、再びステップＳ１０９の処理が実行される。これにより、携帯端末１００がユーザによる目的地の住所の入力待ちの状態で長時間放置されることを回避できる。
【００４０】
一方、住所情報受付手段１１３は、前述の基準時間内に目的地の第２住所情報が入力されたと判定したとする（ステップＳ１１２：Ｙｅｓ）。この場合、判定手段１１４は、入力した第２住所情報が、位置情報記憶部１３２が記憶する複数の第１住所情報のいずれかと一致しているか否かを判定する（ステップＳ１１３）。判定手段１１４により位置情報記憶部１３２が記憶する複数の第１住所情報の中に、ユーザにより入力された第２住所情報と一致する第１住所情報が存在すると判定されると（ステップＳ１１３：Ｙｅｓ）、そのまま後述のステップＳ１１８の処理が実行される。
【００４１】
一方、判定手段１１４が、入力した第２住所情報が、位置情報記憶部１３２が記憶する複数の第１住所情報のいずれとも一致していないと判定したとする（ステップＳ１１３：Ｎｏ）。この場合、位置情報取得手段１１５は、通信回線ＮＴが不通であるか否かを判定する（ステップＳ１１４）。位置情報取得手段１１５は、通信回線ＮＴが不通であると判定すると（ステップＳ１１４：Ｙｅｓ）、新たな位置情報の取得ができないため、表示部１０４にアラームを表示する（ステップＳ１１５）。ここで、アラームの内容は、例えば「回線不通のため位置情報が取得できません」、「回線不通のため位置を表示できません」等である。続いて、再びステップＳ１０１の処理が実行される。
【００４２】
一方、位置情報取得手段１１５は、通信回線ＮＴを介して通信可能と判定すると（ステップＳ１１４：Ｎｏ）、ユーザにより入力された目的地の住所を示す第２住所情報に対応する位置情報の送信を要求する目的地位置要求情報を、通信回線が利用可能な場合には通信回線ＮＴを介して位置情報サーバ３００へ送信する（ステップＳ１１６）。この目的地位置要求情報には、ユーザにより入力された第２住所情報が含まれている。このとき、位置情報サーバ３００は、携帯端末１００から目的地位置要求情報を受信すると、目的地位置要求情報に含まれる第２住所情報に基づいて、複数の位置情報の中から、第２住所情報に対応付けられた位置情報を選択する。そして、位置情報サーバ３００は、選択した位置情報を、通信回線ＮＴを介して携帯端末１００へ送信する。
【００４３】
一方、位置情報取得手段１１５は、位置情報サーバ３００から送信された目的地の位置情報を受信し、受信した位置情報を第２住所情報と対応づけて位置情報記憶部１３２に記憶させる（ステップＳ１１７）。
【００４４】
次に、図６に示すように、位置情報取得手段１１５は、位置情報記憶部１３２から、第２住所情報と一致する第１住所情報に対応する位置情報を取得する（ステップＳ１１８）。
【００４５】
続いて、画像表示手段１１６は、位置情報記憶部１３２から取得した第２住所情報に対応する位置情報に対応する目的地を示すマーク画像を、地図情報取得手段１１２が取得した地図情報に対応する地図画像に重ねる形で表示部１０４に表示させる（ステップＳ１１９）。このとき、例えば図７に示すように、表示部１０４に表示された地図表示画面１０４ｂ内の地図画像上に目的地を示すマーク画像Ｍ１が表示される。
【００４６】
その後、関連情報取得手段１１７は、ユーザが入力部１０５を介して目的地を示すマーク画像が選択されたか否かを判定する（ステップＳ１２０）。具体的には、例えば入力部１０５がタッチパネルである場合、関連情報取得手段１１７は、ユーザが入力部１０５における目的地を示すマーク画像に対応する部分をタッチすると、目的地を示すマーク画像を選択したと判定する。関連情報取得手段１１７により目的地を示すマーク画像が選択されていないと判定すると（ステップＳ１２０：Ｎｏ）、そのまま後述のステップＳ１２８の処理が実行される。
【００４７】
一方、関連情報取得手段１１７は、目的地を示すマーク画像が選択されたと判定すると（ステップＳ１２０：Ｙｅｓ）、画像表示手段１１６が、ユーザに対して目的地関連情報を表示するか否かの選択の問い合わせを行う選択メッセージを表示部１０４に表示させる（ステップＳ１２１）。このように、目的地を示すマーク画像が選択された後に、選択メッセージを表示することにより、例えばユーザが誤って目的地を示すマーク画像を選択してしまった場合に、ユーザの意図に反して表示部１０４に目的地関連情報が表示されてしまうことを抑制できる。
【００４８】
次に、関連情報取得手段１１７は、目的地関連情報を表示するよう指令する目的地関連情報表示指令が有ったか否かを判定する（ステップＳ１２２）。ここで、関連情報取得手段１１７は、ユーザが表示部１０４に表示された選択メッセージを参照しながら入力部１０５を介して、目的地関連情報を表示することを選択すると、目的地関連情報表示指令が発行される。関連情報取得手段１１７により目的地関連情報表示指令が無いと判定されると（ステップＳ１２２：Ｎｏ）、そのまま後述のステップＳ１２８の処理が実行される。
【００４９】
一方、関連情報取得手段１１７は、目的地関連情報表示指令が有ったと判定すると（ステップＳ１２２：Ｙｅｓ）、通信回線ＮＴが不通であるか否かを判定する（ステップＳ１２３）。関連情報取得手段１１７は、通信回線ＮＴが不通であると判定すると（ステップＳ１２３：Ｙｅｓ）、表示部１０４にアラームを表示する（ステップＳ１２４）。ここで、アラームの内容は、例えば「目的地に関連する情報を取得できません」、「目的地に関連する情報を表示できません」等である。続いて、後述のステップＳ１２８の処理が実行される。
【００５０】
一方、関連情報取得手段１１７は、通信回線ＮＴを介して通信可能と判定すると（ステップＳ１２３：Ｎｏ）、目的地関連情報の取得を要求する関連情報取得要求情報を、通信回線ＮＴを介して地域関連情報サーバ４００へ送信する（ステップＳ１２５）。この関連情報取得要求情報には、ユーザが入力した第２住所情報とこの第２住所情報に対応する位置情報とが含まれている。このとき、地域関連情報サーバ４００は、携帯端末１００から関連情報取得要求情報を受信すると、関連情報取得要求情報に含まれるユーザの目的地の位置情報および第２住所情報に基づいて、複数の地域関連情報の中から、目的地に関連する地域関連情報である目的地関連情報を選択する。そして、地域関連情報サーバ４００は、選択した目的地関連情報を、通信回線ＮＴを介して携帯端末１００へ送信する。
【００５１】
一方、関連情報取得手段１１７は、地域関連情報サーバ４００から送信された目的地関連情報を受信する（ステップＳ１２６）。その後、画像表示手段１１６は、関連情報取得手段１１７が受信した目的地関連情報を表示部１０４に表示させる（ステップＳ１２７）。
【００５２】
次に、判定手段１１４は、目的地の位置の表示を終了させるよう指令する目的地表示終了指令が有ったか否かを判定する（ステップＳ１２８）。ここで、目的地表示終了指令は、例えばユーザが入力部１０５を介して目的地の位置の表示を終了させるための操作を行うことにより発行される。判定手段１１４により目的地表示終了指令が有ったと判定されると（ステップＳ１２８：Ｙｅｓ）、再びステップＳ１０９の処理が実行される。
【００５３】
一方、判定手段１１４により目的地表示終了指令が無いと判定されると（ステップＳ１２８：Ｎｏ）、現在位置取得手段１１１が、ＧＰＳ機能部１０７から携帯端末１００の現在の位置の座標を示す現在位置情報を取得する（ステップＳ１２９）。続いて、画像表示手段１１６が、現在位置取得手段１１１が取得した現在位置情報に基づいて、携帯端末１００の現在の位置を示すマーク画像を、地図画像に重ねる形で表示部１０４に表示させる（ステップＳ１３０）。
【００５４】
その後、判定手段１１４は、位置表示処理を終了させるよう指令する位置表示処理終了指令が有ったか否かを判定する（ステップＳ１３１）。ここで、位置表示処理終了指令は、例えばユーザが入力部１０５を介して位置表示処理を終了させるための操作を行うことにより発行される。判定手段１１４により位置表示処理終了指令が無いと判定されると（ステップＳ１３１：Ｎｏ）、再びステップＳ１１９の処理が実行される。一方、判定手段１１４により位置表示処理終了指令が有ったと判定されると（ステップＳ１３１：Ｙｅｓ）、位置表示処理が終了する。
【００５５】
以上説明したように、本実施の形態に係る携帯端末１００によれば、位置情報記憶部１３２が、位置情報をその位置情報に対応する住所を示す第１住所情報と対応づけて不揮発性メモリ１０３に記憶する。また、位置情報取得手段１１５が、位置情報記憶部１３２が記憶する第１住所情報の中に、第２住所情報と一致する第１住所情報が存在しないと判定されると、位置情報サーバ３００から第２住所情報に対応する位置情報を取得する。そして、位置情報取得手段１１５は、取得した位置情報を第２住所情報と対応づけて位置情報記憶部１３２に記憶させる。これにより、位置情報記憶部１３２が記憶する住所情報および位置情報を低減しつつ、位置情報記憶部１３２に少なくともユーザが過去に入力した住所情報に対応した位置情報を記憶させておくことができるので、通信状態が不良の場合や通信回線を利用したくない場合であってもユーザが必要な範囲内で目的地の住所情報を入力することにより事前取得した目的地の位置を把握できるようにすることができる。
【００５６】
また、本実施の形態に係る携帯端末１００によれば、位置情報取得手段１１５が、位置情報記憶部１３２が記憶する第１住所情報の中に、第２住所情報と一致する第１住所情報が存在すると判定されると、位置情報サーバ３００からの位置情報の取得を回避する。これにより、例えば第２住所情報を受け付ける毎に、毎回位置情報サーバ３００から位置情報を取得する構成に比べて、位置情報サーバ３００から位置情報を取得する頻度を低減できるので、位置情報サーバ３００との間での通信量を低減することができる。従って、例えば通信量の増大に伴い、ユーザの通信料金の増大や契約通信量の制限に起因した通信速度の低下を抑制することができる。
【００５７】
以上、本発明の実施の形態について説明したが、本発明は前述の実施の形態の構成に限
定されるものではない。例えば、地図情報記憶部１３１が、例えば避難場所と避難経路との表示に特化した情報量が少ない避難用地図情報を記憶していてもよい。この避難用地図情報は、例えば緊急速報が送信される地域を網羅するデータであり、レストラン、商業施設、駅、ビルディング、官公庁、観光地等に関する付属情報を含んでいないものである。
【００５８】
実施の形態では、現在位置取得手段１１１が、ＧＰＳ機能部１０７により携帯端末１００の現在位置を取得する例について説明した。但し、これに限らず、現在位置取得手段１１１が、複数の基地局から受信する電波の強度から複数の基地局から携帯端末１００までの相対的な距離差を求めて三角測量を利用して携帯端末１００の位置を検出するものであってもよい。
【００５９】
実施の形態において、位置情報記憶部１３２が記憶する第１住所情報を消去する消去部（図示せず）を備える構成であってもよい。ここで、消去部は、例えばユーザが入力部１０５を介して位置情報記憶部１３２が記憶する第１住所情報の全部又は一部を消去するための操作を行うと、その操作を受け付けて、位置情報記憶部１３２が記憶する第１住所情報を適宜消去するようにしてもよい。
【００６０】
また、本発明に係る携帯端末１００の各種機能は、例えば、ネットワークに接続されているコンピュータに、上記動作を実行するためのプログラムを配布し、当該プログラムをコンピュータにインストールすることにより、上述の処理を実行する携帯端末１００を構成してもよい。
【００６１】
以上、本発明の各実施の形態および変形例（なお書きに記載したものを含む。以下、同
様。）について説明したが、本発明はこれらに限定されるものではない。本発明は、実施
の形態及び変形例が適宜組み合わされたもの、それに適宜変更が加えられたものを含む。
【産業上の利用可能性】
【００６２】
本発明は、災害発生時に通信回線が遮断された状態において、避難者が入力した目的地の住所情報に基づいて避難者を目的地へ誘導することによる避難支援に好適である。
【符号の説明】
【００６３】
１００：携帯端末、１０１：ＣＰＵ、１０２：ＲＡＭ、１０３：不揮発性メモリ、１０４：表示部、１０４ａ：メニュー表示画面、１０４ｂ：地図表示画面、１０５：入力部、１０６：通信回路、１０７：ＧＰＳ機能部、１１１：現在位置取得手段、１１２：地図情報取得手段、１１３：住所情報受付手段、１１４：判定手段、１１５：位置情報取得手段、１１６：画像表示手段、１１７：関連情報取得手段、１３１：地図情報記憶部、１３２：位置情報記憶部、２００：地図情報サーバ、３００：位置情報サーバ、４００：地域関連情報サーバ、Ｂ１、Ｂ２：釦、Ｍ１：マーク画像
【図１】
2019144352.tif 000003
【図２】
2019144352.tif 000004
【図３】
2019144352.tif 000005
【図４】
2019144352.tif 000006
【図５】
2019144352.tif 000007
【図６】
2019144352.tif 000008
【図７】
2019144352.tif 000009